(57)【要約】【課題】  本来の使用目的の用紙の他に、使用目的の異なる他の用紙を備えた冊子を得る。【解決手段】  表表紙２と裏表紙３の間に使用目的に応じて構成された紙面を有する複数枚の用紙４を綴じた冊子本体１Ａの、表表紙２と裏表紙３のいずれか一方の表紙２（３）の側縁部に、一方の表紙２（３）の内側または外側に折り重ね可能な台紙６を設け、台紙６の内面に、台紙６の折り重ね時に一方の表紙２（３）の内側または外側に重ねられる複数枚の補助用紙８を綴じ、補助用紙８を冊子本体１Ａの用紙４と別の使用目的として使用することができるようにした。【選択図】    図１
2014188818.tif 000002
【特許請求の範囲】
【請求項１】
表表紙と裏表紙の間に使用目的に応じて構成された紙面を有する複数枚の用紙を綴じた冊子本体の、前記表表紙と前記裏表紙のいずれか一方の表紙の側縁部に、前記一方の表紙の内側または外側に折り重ね可能な台紙が設けられ、前記台紙の内面には、前記台紙の折り重ね時に前記一方の表紙の内側または外側に重ねられる複数枚の補助用紙が綴じられていることを特徴とする冊子。
【発明の詳細な説明】
【技術分野】
【０００１】
本発明は、各種記録簿、ノート、レポート等として利用される冊子に関する。
【背景技術】
【０００２】
各種記録簿、ノート、レポート等として使用される冊子として、表表紙と裏表紙との間に、使用目的に応じて構成された紙面を有する複数枚の用紙が挟み込まれ、表表紙と裏表紙の間の背部で綴じられたものが広く知られている（例えば、特許文献１参照。）。
【先行技術文献】
【特許文献】
【０００３】
【特許文献１】特開２０１２−３５５０５号公報
【発明の概要】
【発明が解決しようとする課題】
【０００４】
各種記録簿、ノート、レポート等の冊子に所定の事項を記載する場合、予め記載内容をメモ用紙などの他の用紙に書きとめ、内容を確認してから記載するといったことがよく行われている。
例えば、学生が数学の授業において計算して結果を冊子に記載するとき、途中の計算は別のメモ用紙等の他の紙で計算し、結果を冊子に書き取るといったことや、また、会議や講演会等で内容をメモ用紙等の他の紙で書きとめておき、冊子に書き取るといったことがよく行われている。
このような場合、冊子の他に、メモ用紙等の他の用紙を別途用意しなければならず、煩わしさを感じることがある。
【０００５】
本発明の目的は、本来の使用目的の用紙の他に、使用目的の異なる他の用紙を備えた冊子を提供することにある。
【課題を解決するための手段】
【０００６】
上記の目的を達成するために、請求項１に記載の発明は、表表紙と裏表紙の間に使用目的に応じて構成された紙面を有する複数枚の用紙を綴じた冊子本体の、前記表表紙と前記裏表紙のいずれか一方の表紙の側縁部に、前記一方の表紙の内側または外側に折り重ね可能な台紙が設けられ、前記台紙の内面には、前記台紙の折り重ね時に前記一方の表紙の内側または外側に重ねられる複数枚の補助用紙が綴じられていることを特徴とする。
【発明の効果】
【０００７】
請求項１に記載の冊子によれば、表表紙と前記裏表紙のいずれか一方の表紙の側縁部に設けられた台紙に複数枚の補助用紙が綴じられているので、この補助用紙を冊子本体の用紙と別の使用目的、例えばメモ用紙として使用することができ、そして、台紙は表表紙と裏表紙のいずれか一方の表紙の側縁部に設けられ、冊子本体と一体となっているので、補助用紙を別途用意する必要がなくなる。
また、台紙は、表表紙と裏表紙のいずれか一方の表紙の側縁部に、一方の表紙の内側または外側に折り重ね可能に設けられているので、不使用時には台紙を一方の表紙の内側または外側に折り重ねることにより、不使用時の大きさが冊子本体の大きさに収まることから取り扱いに便利であり、また、使用時には冊子本体と台紙を開くことにより、台紙に綴じられた補助用紙と冊子本体の用紙にそれぞれに必要な事項を書き込むことができる。
【図面の簡単な説明】
【０００８】
【図１】本発明に係る冊子の実施の形態の第１例を示し、冊子本体と台紙を開いた状態の側面図である。
【図２】図１の一部切り欠き平面図である。
【図３】第１例の冊子の台紙を一方の表紙の内側に折り重ねて冊子本体と台紙を閉じた状態の側面図である。
【図４】第１例の冊子の台紙を一方の表紙の外側に折り重ねて冊子本体と台紙を閉じた状態の側面図である。
【図５】本発明に係る冊子の実施の形態の第２例を示し、冊子本体と台紙を開いた状態の側面図である。
【図６】図５の一部切り欠き平面図である。
【図７】第２例の冊子の台紙を一方の表紙の内側に折り重ねて冊子本体と台紙を閉じた状態の側面図である。
【図８】第２例の冊子の台紙を一方の表紙の外側に折り重ねて冊子本体と台紙を閉じた状態の側面図である。
【発明を実施するための形態】
【０００９】
以下、本発明に係る冊子の実施の形態を図面を参照して詳細に説明する。
図１乃至図４は本発明に係る冊子の第１例を示したもので、図１は第１例の冊子本体と台紙を開いた状態の側面図、図２は図１の一部切り欠き平面図、図３は第１例の冊子の台紙を一方の表紙の内側に折り重ねて冊子本体と台紙を閉じた状態の側面図、図４は第１例の冊子の台紙を一方の表紙の外側に折り重ねて冊子本体と台紙を閉じた状態の側面図である。
【００１０】
第１例の冊子１は、表表紙２と裏表紙３の間に、使用目的に応じて構成された紙面を有する複数枚の用紙４が挟み込まれ、用紙４の一側端部が表表紙２と裏表紙３の接合部位となる背部５に公知の綴じ手段により綴じられた構成となっている冊子本体１Ａを有する。この冊子本体１Ａの構成は、公知の冊子の構成と変わるとことはない。
【００１１】
第１例は、さらに、表表紙２と裏表紙３のいずれか一方の表紙、第１例では裏表紙３の側縁部に、裏表紙３と概ね同形の台紙６が延長して一体に設けられており、裏表紙３と台紙６の接合部が折曲部７となって台紙６が裏表紙３の内側または外側に折り重ね可能となっている。
この台紙６の内面には、台紙６の折り込み時に裏表紙３の内側に重ねられる複数枚の補助用紙８が綴じられている。
【００１２】
補助用紙８は、第１例では、補助用紙８の上端部が綴じ元９となって台紙６の内面の上縁に綴じられているが、これに限定されるものではなく、補助用紙８の一方の側端部が綴じ元９となって台紙６の内面の側縁に綴じられてもよい。また、第１例では、台紙６に綴じられた補助用紙８は一枚毎に剥離可能となっているが、必ずしも剥離可能である必要はなく、また、図示しないが、綴じ元９に沿って切断用ミシン目を設けてもよい。
また、補助用紙８は、冊子本体１Ａの用紙４とは異なる使用目的に応じて構成された紙面を有しており、第１例ではメモ用紙となっている。
また、第１例の補助用紙８は、側端部にバインダー綴じ込み用の穴１０が設けられている。
【００１３】
図１，図２に示す第１例の冊子１は、不使用時に、台紙６が裏表紙３の内側に折り重ねられる冊子１を示し（図３参照。）、このような使用形態の冊子１の場合は、用紙４が綴じられる表表紙２と裏表紙３の接合部位となる背部５に、台紙６に綴じられた補助用紙８の厚み分のマチ部５ａが設けられている。
また、第１例の冊子１は、不使用時に、図４に示すように、台紙６が裏表紙３の外側に折り重ねられてもよく、このような使用形態の冊子１の場合は、用紙４が綴じられる表表紙２と裏表紙３の接合部位となる背部５に、台紙６に綴じられた補助用紙８の厚み分のマチ部５ａを設ける必要はない。
【００１４】
このように構成された第１例の冊子１によれば、裏表紙３の側縁部に設けられた台紙６に複数枚の補助用紙８が綴じられているので、この補助用紙８を冊子本体１Ａの用紙４と別の使用目的、第１例ではメモ用に使用することができる。
また、補助用紙８が綴じられている台紙６は裏表紙の側縁部に設けられ、冊子本体１Ａと一体となっているので、補助用紙８を冊子１と別に用意する必要がなくなる。
【００１５】
また、冊子１の使用時には、図１，２に示すように、冊子本体１Ａと台紙６を開くことにより、台紙６に綴じられた補助用紙８にメモ書きし、冊子本体１Ａの用紙４にメモの内容を確認し書き取ることができる。
また、冊子１の使用時には、図３，図４に示すように、台紙６を折曲部７から裏表紙３の内側または外側に折り重ねることにより、不使用時の大きさが冊子本体１Ａの大きさに収まることから取り扱いに便利である。
【００１６】
また、第１例では、補助用紙８は、台紙６に綴じられた補助用紙８は一枚毎に剥離可能となっているので、メモした補助用紙８は綴じ元９から剥離して廃棄することができ、また、第１例の補助用紙８は、側端部にバインダー綴じ込み用の穴１０が設けられているので、綴じ元９から剥離した補助用紙８をバインダーで綴じて整理しておくことができる。
【００１７】
以下、本発明に係る冊子の実施の形態を図面を参照して詳細に説明する。
図５乃至図８は本発明に係る冊子の第２例を示したもので、図５は第２例の冊子本体と台紙を開いた状態の側面図、図６は図５の一部切り欠き平面図、図７は第２例の冊子の台紙を一方の表紙の内側に折り重ねて冊子本体と台紙を閉じた状態の側面図、図８は第２例の冊子の台紙を一方の表紙の外側に折り重ねて冊子本体と台紙を閉じた状態の側面図である。
第２例の冊子１について、第１例と同一の構成については同一の符号を付してその説明を省略し、第１例と異なる構成についてのみ説明する。
【００１８】
第２例の冊子１は、表表紙２と裏表紙３のいずれか一方の表紙、本例では裏表紙３の側縁部に、表表紙２と裏表紙３の展開形状と概ね同形の台紙６が延長して一体に設けられており、裏表紙３と台紙６の接合部が折曲部７となって台紙６が裏表紙３の内側に折り込み可能となっている。
【００１９】
この台紙６は、左右に２分されて表表紙部６ａと裏表紙部６ｂを構成し、表表紙部６ａと裏表紙部６ｂの接合部位を背部１１として、台紙６の内面側の背部１１に複数枚の補助用紙８の一側端部が綴じられている（図５，６参照。）。
そして、表表紙部６ａと裏表紙部６ｂを閉じた状態で台紙６を折曲部７から裏表紙３の内側または外側に折り重ねることにより、台紙６の内面側の背部１１に綴じられている補助用紙８が裏表紙３の内側または外側に折り重ね可能となっている。
第２例では、台紙６の内面側の背部１１に綴じられている補助用紙８は、綴じ元９に沿って切断用ミシン目１２が設けられている。また、側端部にバインダー綴じ込み用の穴１０が設けられている。
【００２０】
図５，図６に示す第２例の冊子１は、不使用時に、台紙６が裏表紙３の内側に折り重ねられる冊子１を示し（図７参照。）、このような使用形態の冊子１の場合は、第１例と同様に、用紙４が綴じられる表表紙２と裏表紙３の接合部位となる背部５に、台紙５に綴じられた補助用紙８の厚み分のマチ部５ａが設けられている。
また、第２例の冊子１は、不使用時に、図８に示すように、台紙６が裏表紙３の外側に折り重ねられてもよく、このような使用形態の冊子１の場合は、第１例と同様に、用紙４が綴じられる表表紙２と裏表紙３の接合部位となる背部５に、台紙５に綴じられた補助用紙８の厚み分のマチ部５ａを設ける必要はない。
【００２１】
このように構成された第２例の冊子１によれば、台紙６は、左右に２分されて表表紙部６ａと裏表紙部６ｂを構成し、表表紙部６ａと裏表紙部６ｂの接合部位を背部１１として、台紙６の内面側の背部１１に補助用紙８の一側端部が綴じられているので、不使用時は補助用紙８は表表紙部６ａと裏表紙部６ｂで挟まれた状態となり、例えば、補助用紙８を使用しないときにおける補助用紙８の汚れや破損等を防止することができる。
その他の効果は，第１例と同様なので、第１例を援用する。
【符号の説明】
【００２２】
１  冊子
１Ａ  冊子本体
２  表表紙
３  裏表紙
４  用紙
５  背部
５ａ  マチ部
６  台紙
６ａ  表表紙部
６ｂ  裏表紙部
７  折曲部
８  補助用紙
９  綴じ元
１０  穴
１１  背部
１２  切断用ミシン目
【図１】
2014188818.tif 000003
【図２】
2014188818.tif 000004
【図３】
2014188818.tif 000005
【図４】
2014188818.tif 000006
【図５】
2014188818.tif 000007
【図６】
2014188818.tif 000008
【図７】
2014188818.tif 000009
【図８】
2014188818.tif 000010